(57)【要約】【課題】ディスプレイ上にタッチパネルを配してなるデータ入力装置において、特定の操作キーのサイズを任意に変更してその他の操作キーのレイアウトを自動的に変更することのできるデータ入力装置を提供する。【解決手段】ＭＦＰの操作パネル部は、サイズ可変キーのキー画像サイズが変更された場合、サイズ変更後のサイズ可変キー、基本キーおよび応用キーの各キー画像群の間隔を調整して画面のレイアウトを変更する（Ｓ２０７およびＳ２０８のＹＥＳ）。そして、すべてのキー画像を画面に同時に表示できない場合には（Ｓ２０９）、応用キーのキー画像サイズを縮小して画面のレイアウトを変更する。【選択図】　　　　　図３
2004070736.tif 000002
【特許請求の範囲】
【請求項１】
表示画面にキー画像群を表示し、前記キー画像群に属するそれぞれのキー画像の表示領域に対応する前記表示画面上の入力指示領域が指示された場合に前記キー画像に割り当てられたデータを入力するデータ入力装置であって、
前記キー画像群のうち第１のキー画像のサイズを変更するキー画像サイズ変更手段と、
前記第１のキー画像のサイズの変更に伴い前記キー画像群のレイアウトを変更するキー画像位置調整手段と、
前記第１のキー画像のサイズが変更された結果前記キー画像群に属するすべてのキー画像を前記表示画面に同時に表示できなくなる場合に、前記キー画像群のうち第２のキー画像のサイズを縮小するキー画像表示変更手段と、
を有することを特徴とするデータ入力装置。
【請求項２】
タッチパネルを用いることを特徴とする請求項１に記載のデータ入力装置。
【請求項３】
請求項１または２に記載のデータ入力装置を備えてなる画像処理装置。
【請求項４】
表示画面にキー画像群を表示し、前記キー画像群に属するそれぞれのキー画像の表示領域に対応する前記表示画面上の入力指示領域が指示された場合に前記キー画像に割り当てられたデータを入力するデータ入力装置におけるデータ入力方法であって、
前記キー画像群のうち第１のキー画像のサイズを変更する段階と、
前記第１のキー画像のサイズの変更に伴い前記キー画像群のレイアウトを変更する段階と、
前記第１のキー画像のサイズが変更された結果前記キー画像群に属するすべてのキー画像を前記表示画面に同時に表示できなくなる場合に、前記キー画像群のうち第２のキー画像のサイズを縮小する段階と、
を有するデータ入力方法。
【請求項５】
表示画面にキー画像群を表示し、前記キー画像群に属するそれぞれのキー画像の表示領域に対応する前記表示画面上の入力指示領域が指示された場合に前記キー画像に割り当てられたデータを入力するデータ入力装置を制御するためのプログラムであって、
前記キー画像群のうち第１のキー画像のサイズを変更する手順と、
前記第１のキー画像のサイズの変更に伴い前記キー画像群のレイアウトを変更する手順と、
前記第１のキー画像のサイズが変更された結果前記キー画像群に属するすべてのキー画像を前記表示画面に同時に表示できなくなる場合に、前記キー画像群のうち第２のキー画像のサイズを縮小する手順と、
をデータ入力装置に実行させることを特徴とするデータ入力プログラム。
【発明の詳細な説明】
【０００１】
【発明の属する技術分野】
本発明は、データ入力装置に関し、特に、表示画面に複数のキー画像を表示して前記キー画像の表示領域に対応する前記表示画面上の入力指示領域が指示された場合に前記キー画像に割り当てられたデータを入力するデータ入力装置に関する。
【０００２】
【従来の技術】
近年、スキャナ、プリンタ、複写機等の複数の機器の機能を搭載した多機能周辺機器（ＭＦＰ：Ｍｕｌｔｉ−Ｆｕｎｃｔｉｏｎ　Ｐｅｒｉｐｈｅｒａｌ）が普及してきている。かかるＭＦＰにおいては、通常データ入力部として、タッチパネルを利用した操作パネルが採用されている。当該操作パネルは、ディスプレイの画面上にタッチパネルを設けて各種操作キーのキー画像を表示し、特定のキー画像の表示領域に対応する入力指示領域がユーザにより指示されたことをタッチパネルにより検知して、当該キー画像に割り当てられたデータを入力するようにしたものである。
【０００３】
このような操作パネルにあっては、ＭＦＰの機能の多様化、複雑化に伴い、ユーザにわかり易く操作しやすい操作画面の表示が要求されるようになってきており、例えば、すべての操作キーを同じ態様で同時に表示するのではなく利用頻度に合わせて特定の操作キーのサイズを変更できる等、ユーザによる操作画面のカスタマイズが容易に行えるデータ入力装置の開発が望まれている。
【０００４】
一方、タッチパネルを用いたデータ入力装置において、キーサイズを変更することのできるものが提案されているが（特開平５−１９７４７１号公報）、当該入力装置は、予め有しているキーサイズテーブルからキーサイズを選択して変更するものであり、特定の操作キーのサイズを任意に変更してその他の操作キーのレイアウトを自動的に変更するということはできなかった。
【０００５】
【発明が解決しようとする課題】
本発明は上記従来技術の有する問題点に鑑みなされたものであり、その目的とするところは、表示画面に複数のキー画像を表示して前記キー画像の表示領域に対応する前記表示画面上の入力指示領域が指示された場合に前記キー画像に割り当てられたデータを入力するデータ入力装置において、特定の操作キーのサイズを任意に変更してその他の操作キーのレイアウトを自動的に変更することのできるデータ入力装置を提供することにある。
【０００６】
【課題を解決するための手段】
本発明の上記目的は、下記の手段によって達成される。
【０００７】
（１）　表示画面にキー画像群を表示し、前記キー画像群に属するそれぞれのキー画像の表示領域に対応する前記表示画面上の入力指示領域が指示された場合に前記キー画像に割り当てられたデータを入力するデータ入力装置であって、
前記キー画像群のうち第１のキー画像のサイズを変更するキー画像サイズ変更手段と、
前記第１のキー画像のサイズの変更に伴い前記キー画像群のレイアウトを変更するキー画像位置調整手段と、
前記第１のキー画像のサイズが変更された結果前記キー画像群に属するすべてのキー画像を前記表示画面に同時に表示できなくなる場合に、前記キー画像群のうち第２のキー画像のサイズを縮小するキー画像表示変更手段と、
を有することを特徴とするデータ入力装置。
【０００８】
（２）　タッチパネルを用いることを特徴とする（１）に記載のデータ入力装置。
【０００９】
（３）　（１）または（２）に記載のデータ入力装置を備えてなる画像処理装置。
【００１０】
（４）　表示画面にキー画像群を表示し、前記キー画像群に属するそれぞれのキー画像の表示領域に対応する前記表示画面上の入力指示領域が指示された場合に前記キー画像に割り当てられたデータを入力するデータ入力装置におけるデータ入力方法であって、
前記キー画像群のうち第１のキー画像のサイズを変更する段階と、
前記第１のキー画像のサイズの変更に伴い前記キー画像群のレイアウトを変更する段階と、
前記第１のキー画像のサイズが変更された結果前記キー画像群に属するすべてのキー画像を前記表示画面に同時に表示できなくなる場合に、前記キー画像群のうち第２のキー画像のサイズを縮小する段階と、
を有するデータ入力方法。
【００１１】
（５）　表示画面にキー画像群を表示し、前記キー画像群に属するそれぞれのキー画像の表示領域に対応する前記表示画面上の入力指示領域が指示された場合に前記キー画像に割り当てられたデータを入力するデータ入力装置を制御するためのプログラムであって、
前記キー画像群のうち第１のキー画像のサイズを変更する手順と、
前記第１のキー画像のサイズの変更に伴い前記キー画像群のレイアウトを変更する手順と、
前記第１のキー画像のサイズが変更された結果前記キー画像群に属するすべてのキー画像を前記表示画面に同時に表示できなくなる場合に、前記キー画像群のうち第２のキー画像のサイズを縮小する手順と、
をデータ入力装置に実行させることを特徴とするデータ入力プログラム。
【００１２】
【発明の実施の形態】
以下、本発明の実施の形態を、図面を参照して詳細に説明する。
【００１３】
図１は、本発明の実施形態にかかるデータ入力装置を備えたＭＦＰの構成を示すブロック図である。図１において、ＭＦＰ１は、ＣＰＵ１１、ＲＯＭ１２、ＲＡＭ１３、操作パネル部１４、原稿読取部１５、印刷部１６、ネットワークインタフェース１７および電話回線ネットワーク１８を備えており、これらは信号をやり取りするためのバス１９を介して相互に接続されている。
【００１４】
ＣＰＵ１１は、プログラムにしたがって上記各部の制御や各種の演算処理等を行う。ＲＯＭ１２は、各種プログラムやパラメータを格納する。ＲＡＭ１３は、作業領域として一時的にプログラムやデータを記憶する。
【００１５】
操作パネル部１４は、ディスプレイ１４ａ、ディスプレイ１４ａの画面上に設けられたタッチパネル１４ｂおよび図示しない表示制御部等からなる。ディスプレイ１４ａは、液晶ディスプレイ、ＣＲＴ等からなり、各種操作キーや各種情報を表示する。タッチパネル１４ｂには、電子式、静電式、光学式、超音波式等のものがあり、パネルの触れられた位置の情報を検出する。操作パネル部１４は、後述するように、ディスプレイ１４ａの画面に表示したキー画像がユーザにより指示されると、タッチパネル１４ｂにより指示されたキー画像を判断して、当該キー画像に割り当てられたデータを入力するものである。
【００１６】
原稿読取部１５は、所定の読み取り位置にセットされた原稿に蛍光ランプ等の光源で光を当て、その反射光をＣＣＤやＣＩＳ等の受光素子で光電変換して、その電気信号から画像データ（ビットマップデータ）を生成する。原稿読取部１５は、自動原稿搬送装置（ＡＤＦ）を備えており、これにより複数枚の原稿をＡＤＦにより一枚ずつ所定の読み取り位置まで搬送して順次読み取ることができる。また、印刷部１６は、画像処理後の画像データを設定条件に従って印刷する。
【００１７】
ネットワークインタフェース１７は、ネットワークに接続しネットワーク上の他の機器と通信するためのインタフェースであり、イーサネット（登録商標）、トークンリング、ＦＤＤＩ等の規格が用いられる。また、電話回線インタフェース１８はＭＦＰ１を電話回線に接続するためのインタフェースである。
【００１８】
ＭＦＰ１は、原稿のコピーを行うという複写機としての機能、電話回線を介して画像データを送受信する通常のファクシミリとしての機能のほか、ネットワークに接続されることにより、原稿を読み取って画像データをネットワーク上の他の機器に送信するスキャナとしての機能、およびネットワーク上の他の機器から受信した印刷ジョブに基づいて印刷を行うプリンタとしての機能を兼ね備えるものである。
【００１９】
つぎに、本実施形態にかかるデータ入力装置の動作の概要を説明する。図２は、本実施形態におけるＭＦＰ１の操作パネル部１４のデータ入力処理の手順を示すフローチャートである。なお、図２のフローチャートにより示されるアルゴリズムは、ＭＦＰ１のＲＯＭ１２に制御プログラムとして記憶されており、ＣＰＵ１１によって実行されるものである。ただし、当該プログラムは操作パネル部１４内の図示しない表示制御部において記憶され実行される構成であってもよい。
【００２０】
図２において、ＭＦＰ１は、操作パネル部１４のディスプレイ１４ａに各種操作キーのキー画像を含む操作画面を表示し（Ｓ１０１）、同時に、操作画面の各キー画像のディスプレイ１４ａ上の表示領域に対応するタッチパネル１４ｂ上の入力指示領域、および各キー画像に割り当てられたデータをＲＡＭ１３に記憶する（Ｓ１０２）。ついで、ユーザによりディスプレイ１４ａの画面上のタッチパネル１４ｂが指示されるまで待機する（Ｓ１０３のＮＯ）。そして、ユーザがディスプレイ１４ａの画面に表示したキー画像を指示することにより画面上のタッチパネル１４ｂを指示すると、タッチパネル１４ｂによりこれを検知して（Ｓ１０３のＹＥＳ）、タッチパネル１４ｂ上の指示された位置の位置情報を検出する（Ｓ１０４）。そして、検出した位置情報が、特定のキー画像の表示領域に対応するタッチパネル１４ｂ上の入力指示領域に含まれる場合（Ｓ１０５のＹＥＳ）、当該キー画像が指示されたものと判断して、当該キー画像に割り当てられたデータを入力するものである（Ｓ１０６）。
【００２１】
次に、本実施形態の特徴であるＭＦＰ１の操作パネル部１４の操作画面表示処理の手順について説明する。図３は、ＭＦＰ１の操作パネル部１４の操作画面表示処理の手順を示すフローチャートである。図３において、ＭＦＰ１は、まず、ＲＯＭ１２に記憶されている初期画面制御情報をＲＡＭ１３上に読み出し（Ｓ２０１）、初期画面制御情報に基づいて操作パネル部１４のディスプレイ１４ａ上に初期画面を表示する（Ｓ２０２）。図４は、本実施形態におけるＭＦＰ１の初期画面制御情報の一例を示す図である。図４において、初期画面制御情報２１には画面モード、キー画像群、キー画像分類、構成キー画像、キー画像データ、状態、属性等の情報が記録されている。
【００２２】
ここで、画面モードは、ディスプレイ１４ａに表示する画面の種類であり、コピー操作画面を表示するコピーモード、ファクシミリ操作画面を表示するファックスモード、スキャナ操作画面を表示するスキャンモード画面、管理設定画面を表示する管理モード等がある。初期画面制御情報２１では、画面モードがコピーモードに設定されており、本実施形態においては、初期画面としてコピー操作画面が表示される。
【００２３】
また、キー画像群は、ディスプレイ１４ａに表示する同種機能のキー画像からなるキー画像群の種別であり、画面モードに応じて、スタートキー、テンキー、サイズ変更キー、モード切替キー、用紙サイズキー、倍率キー等がある。
【００２４】
キー画像分類は、操作画面表示処理におけるキー画像の表示変更の態様による分類を示すものであり、サイズ可変キー、基本キーおよび応用キーの３つの分類がある。サイズ可変キーはキー画像のサイズ変更が可能なものであり、ユーザがサイズ変更キーを操作することによりキー画像を所定の範囲内で任意のサイズに拡大・縮小することができるものである。基本キーはキー画像のサイズが固定されているものであり、サイズ可変キーのサイズが変更されても必ず一定サイズで同一画面上に表示されるキー画像である。応用キーは、サイズ可変キーのサイズ変更によりすべての表示すべきキー画像を画面上に同時に表示できなくなる場合に、サイズを縮小して表示するキー画像である。初期画面制御情報２１では、スタートキーがサイズ可変キーとして、モード切替キー、サイズ変更キーおよびテンキーが基本キーとして、ならびに倍率キーおよび用紙サイズキーが応用キーとしてそれぞれ設定されている。なお、本実施形態では、キー画像群ごとにキー画像分類が付されているが、一つのキー画像群を複数に分割して複数のキー画像分類を付すものであってもよいし、キー画像群ごとではなくキー画像毎に個別にキー画像分類を付すようにしてもよい。各キー画像群をいずれのキー画像分類とするかについては、任意に設定できる構成としてもよく、この場合、任意のユーザが、またはパスワードで保護された管理画面等を介して特定の権限を有する者、例えば管理者のみが、画面制御情報を編集することにより変更、設定できる構成とすることができる。
【００２５】
構成キー画像は、キー画像群を構成するキー画像を示しており、キー画像データは、キー画像のファイル名を示すものである。また、状態は、ディスプレイ１４ａ上におけるキー画像の表示状態を示すもので、キー画像のサイズ（縮尺）および画面上の位置情報等が示される。さらに、属性は、キー画像のサイズ変更の可否、位置変更の可否等の情報を示すものである。
【００２６】
図５は、図４の初期画面制御情報に基づいてＭＦＰ１の操作パネル部１４のディスプレイ１４ａ上に表示される初期画面の一例を示す図である。図５において、画面３１には、初期画面制御情報２１に基づいて、スタートキー４１、モード切替キー４２、サイズ変更キー４３、テンキー４４、倍率キー４５および用紙サイズキー４６にかかる各キー画像、ならびにメッセージ表示エリア４７が、それぞれ指定サイズで指定位置に表示されている。
【００２７】
図３において、ディスプレイ１４ａ上のモード切り換えキー４２が指示されることによりユーザからのモード切り換えの入力があった場合には（Ｓ２０３のＹＥＳ）、ステップＳ２０１およびＳ２０２の手順と同様にして、ＲＯＭ１２に記憶されている指定モードの画面制御情報をＲＡＭ１３上に読み出し（Ｓ１０４）、読み出した指定モードの画面制御情報に基づいてディスプレイ１４ａ上に指定モード画面を表示する（Ｓ２０５）。
【００２８】
つぎに、ディスプレイ１４ａ上のサイズ変更キー４３が指示されることによりユーザからのサイズ可変キーのサイズ変更の入力があった場合に（Ｓ２０６のＹＥＳ）、入力されたサイズによりサイズ可変キーのキー画像のサイズを変更した場合の操作画面のレイアウトを算出し（Ｓ２０７）、すべての表示すべきキー画像が画面上に同時に表示可能であるか否かを判断する（Ｓ２０８）。そして、画面上にすべてのキー画像が表示可能であれば（Ｓ２０８のＹＥＳ）、算出したレイアウトによる各キー画像の位置情報を画面制御情報に登録して画面制御情報を更新し（Ｓ２１１）、当該画面制御情報に基づいてディスプレイ１４ａ上に変更したレイアウトによる操作画面を表示して（Ｓ２１２）、操作画面表示処理を終了する。
【００２９】
ここで、本実施形態におけるサイズ可変キーのサイズ変更による操作画面のレイアウト変更は、サイズ可変キーのキー画像のサイズ変更によって画面の縦または横方向に対して互いに干渉し合う関係にある基本キーおよび応用キーのキー画像の縦幅または横幅の合計が画面の縦幅または横幅を超えない場合（下記式の関係を満たす場合）は、それぞれのキー画像群の間隔、すなわち余白部分の幅を調整することにより行う。
【００３０】
【数１】
2004070736.tif 000003
【００３１】
図６は、図５のディスプレイ１４ａの初期画面からサイズ可変キーのキー画像のサイズを拡大してレイアウトを変更した画面である。すなわち、画面３２では、サイズ可変キーであるスタートキー４１のキー画像の拡大に伴い、画面の横方向に対して互いに干渉しあう基本キーのテンキー４４、ならびに応用キーの倍率キー４５および用紙サイズキー４６のキー画像群と、サイズ拡大後のスタートキー４１の横幅の合計が画面の横幅を超えないので、これらのキー画像群の間隔を調整することによりレイアウトが変更されている。
【００３２】
一方、図３において、ステップＳ２０７におけるレイアウトの算出の結果、画面上にすべてのキー画像を同時に表示できない場合には（Ｓ２０８のＮＯ）、応用キーを、すべてのキー画像が表示可能になるサイズまで縮小し（Ｓ２０９）、応用キーのサイズ縮小後の操作画面のレイアウトを再度算出する（Ｓ２１０）。そして、算出したレイアウトによる各キー画像のサイズ、位置情報等を画面制御情報に登録して画面制御情報を更新し（Ｓ２１１）、当該画面制御情報に基づいてディスプレイ１４ａ上に変更したレイアウトによる操作画面を表示して（Ｓ２１２）、操作画面表示処理を終了する。
【００３３】
図７は、図６のディスプレイ１４ａの画面からサイズ可変キーのキー画像のサイズをさらに拡大してレイアウトを変更した場合の更新された画面制御情報の一例を示す図であり、図８は、図７の画面制御情報に基づいてレイアウトを変更した画面である。すなわち、図７および図８においては、基本キーのテンキー４４、ならびに応用キーの倍率キー４５および用紙サイズキー４６のキー画像群と、サイズ拡大後のスタートキー４１の横幅の合計が画面の横幅を超えるので、画面３３では、下記式に従って、応用キーの倍率キー４５および用紙サイズキー４６のキー画像の縦幅と横幅の比率、および他の応用キーとのサイズの比率を保ちつつ、すべてのキー画像が画面内に入るように応用キーのキー画像群のサイズを縮小してレイアウト変更がなされているものである。
【００３４】
【数２】
2004070736.tif 000004
【００３５】
上記実施形態では、サイズ変更キーのキー画像のサイズ変更に伴い、各キー画像および各キー画像群の操作画面上の配列を保ったまま、応用キーのキー画像のサイズを縮小することにより画面のレイアウトを変更するものであったが、本発明は、応用キーのキー画像のサイズを縮小するとともに、周知の二次元マッピングのアルゴリズムを用いることにより、各キー画像または各キー画像群の操作画面上の配列を変更してレイアウトを変更する構成としても構わない。
【００３６】
また、上記実施形態では、任意の利用者が、サイズ変更キーのサイズを変更できるものであったが、例えばパスワード等を設けて管理者のみが変更可能な構成としてもよい。
【００３７】
さらに、上記実施形態では、サイズ変更キーのサイズ変更によるレイアウト変更前の画面制御情報を変更後の画面制御情報で更新するものであったが、変更後の画面制御情報を新規登録できるようにしてユーザごとに好みの画面を選択できる構成としてもよい。
【００３８】
上記実施形態では、本発明のデータ入力装置を、ＭＦＰに組み込んだ場合を例にして説明したが、本発明はこれに限定されるものではなく、プリンタ、デジタル複写機、ファクシミリ装置、据え置き型パソコン、ノートパソコン等のコンピュータ、携帯電話、ＰＨＳ（登録商標）、ＰＤＡ、電子手帳等の携帯端末、テレビ、ステレオ、電子レンジ、冷蔵庫、洗濯機等の家庭用電化製品、その他の各種装置のデータ入力装置として利用することができる。
【００３９】
本発明によるデータ入力装置およびデータ入力方法は、上記各手順を実行するための専用のハードウエア回路によっても、また、上記各手順を記述した所定のプログラムをＣＰＵが実行することによっても実現することができる。後者により本発明を実現する場合、データ入力装置を動作させるための上記プログラムは、フロッピー（登録商標）ディスクやＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ＲＯＭやハードディスク等に転送され記憶される。
【００４０】
上述した本発明の実施形態には、特許請求の範囲の請求項１〜５に記載した発明以外にも、以下の付記１に示すような発明が含まれる。
【００４１】
［付記１］　請求項５に記載のデータ入力プログラムを記録したコンピュータ読み取り可能な記録媒体。
【００４２】
【発明の効果】
上述したように、本発明によれば、ディスプレイ上にタッチパネルを配し、画面に複数のキー画像を表示して前記キー画像の表示領域に対応する前記表示画面上の入力指示領域が指示された場合に前記キー画像に割り当てられたデータを入力するデータ入力装置において、特定の操作キーのサイズを任意に変更してその他の操作キーのレイアウトを自動的に変更することのできるデータ入力装置を提供することができる。
【図面の簡単な説明】
【図１】本発明の実施形態にかかるデータ入力装置を備えたＭＦＰの構成を示すブロック図である。
【図２】図１におけるＭＦＰ１の操作パネル部１４のデータ入力処理の手順を示すフローチャートである。
【図３】図２におけるＭＦＰ１の操作パネル部１４の操作画面表示処理の手順を示すフローチャートである。
【図４】図３におけるＭＦＰ１の初期画面制御情報の一例を示す図である。
【図５】図４の初期画面制御情報に基づいてＭＦＰ１の操作パネル部１４のディスプレイ１４ａ上に表示される初期画面の一例を示す図である。
【図６】図５のディスプレイ１４ａの初期画面からサイズ可変キーのキー画像のサイズを拡大してレイアウトを変更した画面である。
【図７】図６のディスプレイ１４ａの画面からサイズ可変キーのキー画像のサイズをさらに拡大してレイアウトを変更した場合の更新された画面制御情報の一例を示す図である。
【図８】図７の画面制御情報に基づいてレイアウトを変更した画面である。
【符号の説明】
１…ＭＦＰ、
１１…ＣＰＵ、
１２…ＲＯＭ、
１３…ＲＡＭ、
１４…操作パネル部、
１４ａ…ディスプレイ、
１４ｂ…タッチパネル、
１５…原稿読取部、
１６…印刷部、
１７…ネットワークインタフェース、
１８…電話回線ネットワーク、
１９…バス。
【図１】
2004070736.tif 000005
【図２】
2004070736.tif 000006
【図３】
2004070736.tif 000007
【図４】
2004070736.tif 000008
【図５】
2004070736.tif 000009
【図６】
2004070736.tif 000010
【図７】
2004070736.tif 000011
【図８】
2004070736.tif 000012